(57)【要約】【課題】袋の取出口を開いて内容物を取り出すときに、内容物が過剰に排出されたり、内容物の取出量が足りないということがよくある。そして、過剰に排出された内容物を袋の内部へ戻すのは困難であり、結局無駄に処理することが多い。また取出量が足りないと、何度も取出操作を繰り返さねばならないという面倒がある。そこで本発明は、内容物を定量づつ取り出すことができて、取出量の過不足をなくすことができる包装用袋の提供を課題とする。【解決手段】内容物収納スペース２と内容物取出口５との間に内容物保留スペース４を設け、内容物取出口５にチャック等の第１の開閉具８を取り付けるとともに、その内側に内容物収納スペース２と内容物保留スペース４を隔離可能とする第２の開閉具１３を取り付けたことを特徴とする。【選択図】　　　　図１
2004035013.tif 000002
【特許請求の範囲】
【請求項１】
内容物収納スペース２と内容物取出口５との間に内容物保留スペース４を設け、内容物取出口５にチャック等の第１の開閉具８を取り付けるとともに、その内側に内容物収納スペース２と内容物保留スペース４を隔離可能とする第２の開閉具１３を取り付けたことを特徴とする包装用袋。
【発明の詳細な説明】
【０００１】
【発明の属する技術分野】
本発明は内容物を少量づつ取り出し可能とする包装用袋に関する。
【０００２】
【従来の技術】
この種の袋では、取出口を開いて内容物を取り出すときに、内容物が過剰に排出されたり、内容物の取出量が足りないということがよくある。そして、過剰に排出された内容物を袋の内部へ戻すのは困難であり、結局無駄に処理することが多い。また取出量が足りないと、何度も取出操作を繰り返さねばならないという面倒がある。
【０００３】
【発明が解決しようとする課題】
本発明は、内容物を定量づつ取り出すことができて、取出量の過不足をなくすことができる包装用袋の提供を課題とする。
【０００４】
【課題を解決するための手段】
上記課題を解決するために、本発明の包装用袋は、内容物収納スペース２と内容物取出口５との間に内容物保留スペース４を設け、内容物取出口５にチャック等の第１の開閉具８を取り付けるとともに、その内側に内容物収納スペース２と内容物保留スペース４を隔離可能とする第２の開閉具１３を取り付けたことを特徴とする、という構成にしたものである。
【０００５】
【発明の実施の形態】
以下、図を用いて本発明の実施の形態について説明する。まず、袋本体１はプラスチックシート等を用いて製造され、粉粒体や流動体などを収納する内容物収納スペース２を有し、その周囲はシールされている。図中、符号３がシール部を示している。その内容物収納スペース２は細幅の内容物保留スペース４と連通していて、その内容物保留スペース４の外端が内容物の取出口５となっている。すなわち、内容物収納スペース２と取出口５との間に内容物保留スペース４を設けている。
【０００６】
取出口５の外側には、その取出口５と連通するように開封スペース６を設けている。なお、開封スペース６も周囲はシールされているが、袋本体１の側縁部に設けた切り口７から袋本体１を横断するように切断することによって開口可能となっている。
【０００７】
取出口５には第１の開閉具８を取り付けている。この第１の開閉具８には例えばチャックを使用することができる。このチャックは、図３に示すように、２枚のプラスチックシート製の雄部材９と雌部材１０によって構成し、雄部材９の突起部１１を雌部材１０の溝部１２に嵌合させることにより閉じた状態となり、その突起部１１を溝部１２から脱出させることにより開いた状態となるように構成することができる。
【０００８】
上記のチャック等の第１の開閉具８の内側にはもう一つの第２の開閉具１３を取り付けている。この第２の開閉具１３は内容物収納スペース２と内容物保留スペース４を隔離するものである。
【０００９】
この第２の開閉具１３は、図４に示すように、２枚の板状バネ１４，１５によって構成している。すなわち、この開閉具１３は、図４のＡに示すように、２枚の板状バネ１４，１５を密着するように組み付けて、その２枚の板状バネ１４，１５を外圧の無い状態で互いに密着状態を維持する（この状態が閉口状態となる）ようになすとともに、図４のＢに示すように、その２枚の板状バネ１４，１５の長手方向の両端を長手方向の中心側へ向って加圧したときに、その２枚の板状バネ１４，１５が湾曲して中間部を互いに離間する（この状態が開口状態となる）ようになし、さらに、その加圧を解除したときに再び２枚の板状バネ１４，１５が密着状態へ復元可能となるように構成している。
【００１０】
なお、図４に示すように、板状バネ１４，１５の一方の密着面に凸部１６を形成するとともに、他方の密着面に凹部１７を形成して、密着状態で凸部１６と凹部１７が全長にわたって嵌合するようになし、又、２枚の板状バネ１４，１５を湾曲しやすくするために、それぞれの長手方向の中間部に切込み１８，１９を設けることも可能である。この板状バネ１４，１５の素材には弾性を有する素材、例えばプラスチックや金属等を使用可能である。
【００１１】
また、図１に示すように、第２の開閉具１３を設置した個所の外側シール部３には指を差し込み可能なサイズの孔２０，２１を穿設することができる。すなわち、この孔２０，２１に２本の指を挿入して第２の開閉具１３の２枚の板状バネ１４，１５の両端を加圧操作できるようにしている。なお、図５に示すように、孔２０，２１の代わりに袋本体１の側縁へ開口する切欠凹部２２，２３を設けることも可能である。
【００１２】
第２の開閉具１３を上記のような構成にしたのは、上記の外側の第１の開閉具８とは無関係に開閉できるようにするためである。すなわち、外側の第１の開閉具８を閉じた状態のまま内側の第２の開閉用具１３を開閉自在にするためである。
【００１３】
内容物収納スペース２から粉粒体や流動体などの内容物２４を取り出すには、まず、上記のように開封スペース６を開口し、それから、外側の第１の開閉具８を閉じて、内側の第２の開閉具１３を開いた状態にする。内側の第２の開閉具１３を開くには、上記の孔２０，２１に指を挿入して第２の開閉具１３の板状バネ１４，１５の両端を２本の指で挟んだ状態とし、その２本の指で板状バネ１４，１５を長手方向の中心側へ加圧すればよい。
【００１４】
この状態で袋本体１を上下逆転させて、図２に示すように、内容物収納スペース２から内容物保留スペース４へ内容物２４を落下させる。内容物保留スペース４に内容物２４が入ったら内側の第２の開閉具１３を閉じて、内容物保留スペース４内の内容物２４を、内容物収納スペース２内の内容物２４と隔離する。なお、内側の第２の開閉具１３を閉じるには、上記のように指による板状バネ１４，１５に対する加圧操作を止めればよい。これにより板状バネ１４，１５が復元して開閉具１３が自動的に閉じることになる。
【００１５】
次に、内側の第２の開閉具１３を閉じた状態のまま、外側の第１の開閉具８を開いて取出口５を開口する。これにより内容物保留スペース４内の一定量の内容物２４だけが外部に落下することになる。
【００１６】
【発明の効果】
本発明の包装用袋は、内容物２４を一旦内容物保留スペース４に入れて隔離してから、その内容物保留スペース４内の内容物２４のみ外部へ取り出すことができるので、内容物２４を定量づつ、すなわち、内容物保留スペース４に入った分だけの内容物２４を取り出すことができる。したがって、内容物２４の取出量の過不足をなくすことができる。
【図面の簡単な説明】
【図１】袋全体の断面図である。
【図２】内容物保留スペース内に一定量の内容物を隔離した状態の断面図である。
【図３】第１の開閉具として使用したチャックの断面図である。
【図４】第２の開閉具の開閉状態を示す斜視図である。
【図５】袋全体の断面図である。
【符号の説明】
１　袋本体
２　内容物収納スペース
３　シール部
４　内容物保留スペース
５　取出口
６　開封スペース
７　切り口
８　第１の開閉具
９　雄部材
１０　雌部材
１１　突起部
１２　溝部
１３　第２の開閉具
１４　板状バネ
１５　板状バネ
１６　凸部
１７　凹部
１８　切込み
１９　切込み
２０　孔
２１　孔
２２　切欠凹部
２３　切欠凹部
２４　内容物
【図１】
2004035013.tif 000003
【図２】
2004035013.tif 000004
【図３】
2004035013.tif 000005
【図４】
2004035013.tif 000006
【図５】
2004035013.tif 000007